(57)【要約】【課題】袋の口部を確実に係止する。【解決手段】横桟部１１と左右の縦桟部１２とを有する第１フレーム１０と、横桟部２１と左右の縦桟部２２とを有し、自身の縦桟部の下端が第１フレームの縦桟部の下端に枢軸部３０を介して上下方向回動自在に連結された第２フレーム２０と、各フレームの横桟部の下端縁の近傍に複数形成された差込孔１３、２３に自身の下端縁に突設した差込片の先端側が挿入係止されることで各差込片の基部に設けた薄肉屈曲部をヒンジ４２、５２として上下方向回動自在に設けられ、且つ、上端に各フレームの横桟部の上端縁に係合するＬ字形のフック部４５、５５を有し、該フック部を各フレームの横桟部の上端縁に係合させることで、各フレームの横桟部との間に袋の口部の一辺側と他辺側を挟持する第１、第２挟み板と、を具備する。【選択図】図１
2008184235.tif 000002
【特許請求の範囲】
【請求項１】
横桟部と該横桟部の両端から下に延びる左右の縦桟部とを有し、被取付部材に固定される正面視略コ字形の第１フレームと、
横桟部と該横桟部の両端から下に延びる左右の縦桟部とを有し、自身の縦桟部の下端が前記第１フレームの縦桟部の下端に枢軸部を介して上下方向回動自在に連結され、且つ、前記第１フレームと重なる大きさに形成された正面視略コ字形の第２フレームと、
前記第１フレームの横桟部の下端縁の近傍に該横桟部の長手方向に沿って複数形成された各差込孔に自身の下端縁に突設した差込片の先端側が挿入されて係止されることで、各差込片の基部に設けた薄肉屈曲部をヒンジとして上下方向回動自在に設けられ、且つ、上端に前記第１フレームの横桟部の上端縁に係合するＬ字形のフック部を有し、該フック部を前記第１フレームの横桟部の上端縁に係合させることで、前記第１フレームの横桟部との間に袋の口部の一辺側を挟持可能な帯板状の第１挟み板と、
前記第２フレームの横桟部の下端縁の近傍に該横桟部の長手方向に沿って複数形成された各差込孔に自身の下端縁に突設した差込片の先端側が挿入されて係止されることで、各差込片の基部に設けた屈曲部をヒンジとして上下方向回動自在に設けられ、且つ、上端に前記第２フレームの横桟部の上端縁に係合するＬ字形のフック部を有し、該フック部を前記第２フレームの横桟部の上端縁に係合させることで、前記第２フレームの横桟部との間に袋の口部の他辺側を挟持可能な帯板状の第２挟み板と、
を具備し、
前記第１フレーム、第２フレーム、第１挟み板、第２挟み板が、それぞれ樹脂の一体成形品により構成されていて、樹脂の弾性を利用して組み立てられていることを特徴とする袋ハンガー。
【請求項２】
請求項１に記載の袋ハンガーであって、
前記第１フレームの横桟部と前記第２フレームの横桟部とに、該第２フレームを上方に回動させて前記袋の口部を閉じたとき、その状態で第１、第２フレームをロックするロック機構が設けられていることを特徴とする袋ハンガー。
【発明の詳細な説明】
【技術分野】
【０００１】
本発明は、ポリ袋などを引っ掛けて吊り下げることにより、ごみストッカー等として利用できるようにする、袋ハンガーに関する。
【背景技術】
【０００２】
図９に、この種の袋ハンガーの従来例を示す（特許文献１参照）。この袋ハンガー２００は、第１フレーム２１０と、第２フレーム２２０と、第１フレーム２１０に回動自在に取り付けられることで第１フレーム２１０との間に袋１００の口部の一辺側１０１を挟持する第１挟み枠２４０と、第２フレーム２２０に回動自在に取り付けられることで第２フレーム２２０との間に袋１００の口部の他辺側１０２を挟持する第２挟み枠２５０と、を備えている。
【０００３】
第１フレーム２１０は、取付ブラケット２６０により被取付部材に固定されるものであり、横桟部２１１と、該横桟部２１１の両端から下に延びる左右の縦桟部２１２とを有した正面視略コ字形をなしている。第２フレーム２２０は、第１フレーム２１０と重なる大きさの正面視略コ字形をなしており、横桟部２２１と、該横桟部２２１の両端から下に延びる左右の縦桟部２２２とを有し、自身の縦桟部２２２の下端が、第１フレーム２１０の縦桟部２１２の下端に枢軸部２３０を介して上下方向回動自在に連結されている。
【０００４】
第１挟み枠２４０は、第１フレーム２１０の横桟部２１１と略同じ長さの横桟部２４１と、該横桟部２４１の両端から下に延び且つ第１フレーム２１０の縦桟部２１２の長さよりも長さの短い縦桟部２４２とを有し、自身の縦桟部２４２の下端が第１フレーム２１０の縦桟部２１２の中間部にヒンジ２４３を介して上下方向回動自在に連結されており、上端まで回動したとき、第１フレーム２１０と係合して、第１フレーム２１０との間に袋１００の口部の一辺側１０１を挟持するようになっている。
【０００５】
第２挟み枠２５０は、第２フレーム２２０の横桟部２２１と略同じ長さの横桟部２５１と、該横桟部２５１の両端から下に延び且つ第２フレーム２２０の縦桟部２２２の長さよりも長さの短い縦桟部２５２とを有し、自身の縦桟部２５２の下端が第２フレーム２２０の縦桟部２２２の中間部にヒンジ２５３を介して上下方向回動自在に連結されており、上端まで回動したとき、第２フレーム２２０と係合して、第２フレーム２２０との間に袋１００の口部の一辺側１０２を挟持するようになっている。
【０００６】
【特許文献１】特開平１０−１１７９５２号公報
【発明の開示】
【発明が解決しようとする課題】
【０００７】
ところで、上記従来の袋ハンガー２００は、第１挟み枠２４０と第２挟み枠２５０を、それらの左右の縦桟部２４２、２５２の下端で、第１フレーム２１０と第２フレーム２２０の各左右の縦桟部２１２、２２２の長さ方向中間部にそれぞれヒンジ２４３、２５３で連結しており、左右両端のヒンジ２４３、２５３の間がフリーになっているので、その間での支持強度が弱くなりがちであり、そのために、フリーになっている部分に歪みや変形が発生して、袋１００の口部を確実に係止しておけなくなる可能性があった。
【０００８】
本発明は、上記事情を考慮し、袋の口部を確実に係止することのできる袋ハンガーを提供することを目的とする。
【課題を解決するための手段】
【０００９】
請求項１の発明の袋ハンガーは、横桟部と該横桟部の両端から下に延びる左右の縦桟部とを有し、被取付部材に固定される正面視略コ字形の第１フレームと、横桟部と該横桟部の両端から下に延びる左右の縦桟部とを有し、自身の縦桟部の下端が前記第１フレームの縦桟部の下端に枢軸部を介して上下方向回動自在に連結され、且つ、前記第１フレームと重なる大きさに形成された正面視略コ字形の第２フレームと、前記第１フレームの横桟部の下端縁の近傍に該横桟部の長手方向に沿って複数形成された各差込孔に自身の下端縁に突設した差込片の先端側が挿入されて係止されることで、各差込片の基部に設けた薄肉屈曲部をヒンジとして上下方向回動自在に設けられ、且つ、上端に前記第１フレームの横桟部の上端縁に係合するＬ字形のフック部を有し、該フック部を前記第１フレームの横桟部の上端縁に係合させることで、前記第１フレームの横桟部との間に袋の口部の一辺側を挟持可能な帯板状の第１挟み板と、前記第２フレームの横桟部の下端縁の近傍に該横桟部の長手方向に沿って複数形成された各差込孔に自身の下端縁に突設した差込片の先端側が挿入されて係止されることで、各差込片の基部に設けた屈曲部をヒンジとして上下方向回動自在に設けられ、且つ、上端に前記第２フレームの横桟部の上端縁に係合するＬ字形のフック部を有し、該フック部を前記第２フレームの横桟部の上端縁に係合させることで、前記第２フレームの横桟部との間に袋の口部の他辺側を挟持可能な帯板状の第２挟み板と、を具備し、前記第１フレーム、第２フレーム、第１挟み板、第２挟み板が、それぞれ樹脂の一体成形品により構成されていて、樹脂の弾性を利用して組み立てられていることを特徴とする。
【００１０】
請求項２の発明は、請求項１に記載の袋ハンガーであって、前記第１フレームの横桟部と前記第２フレームの横桟部とに、該第２フレームを上方に回動させて前記袋の口部を閉じたとき、その状態で第１、第２フレームをロックするロック機構が設けられていることを特徴とする。
【発明の効果】
【００１１】
請求項１の発明によれば、第１、第２フレームの横桟部に形成した複数の差込孔に第１、第２挟み板に突設した差込片をそれぞれ差し込んで係止させることにより、各差込片の基部に設けた薄肉屈曲部をヒンジとして、第１、第２挟み板を第１、第２フレームに上下方向回動自在に連結しているので、第１、第２挟み板を長手方向の複数の箇所で第１、第２フレームの横桟部により支持することができる。従って、フリーの部分をほとんど無くすことができて、歪みや変形の影響で、袋の口部を挟む機能が損なわれるのを防止することができる。
【００１２】
請求項２の発明によれば、第１、第２フレームを、袋の口部を閉じた状態でロックすることができるので、袋の収容物からの臭いの漏れを防ぐことができる。
【発明を実施するための最良の形態】
【００１３】
以下、本発明の実施形態を図面を参照して説明する。
図１は実施形態の袋ハンガーを開いた状態にしたときの構成を示す斜視図、図２は同袋ハンガーを閉じた状態にしたときの構成図で、（ａ）は正面斜め下側から見た斜視図、（ｂ）は背面斜め上側から見た斜視図、図３は図２（ａ）のＩＩＩ−ＩＩＩ矢視断面図、図４は図２（ａ）のＩＶ−ＩＶ矢視断面図、図５は図３のＶ部拡大図、図６は図５の第２挟み板５１だけを取り出して示す構成図で、（ａ）は屈曲前の状態、（ｂ）は屈曲後の状態を示す断面図、図７は実施形態の袋ハンガーの使用状態を示す斜視図、図８は同袋ハンガーを閉じたときの状態を示す斜視図である。
【００１４】
この袋ハンガーＭは、図１、図２、図７、図８に示すように、第１フレーム１０と、第２フレーム２０と、第１フレーム１０に回動自在に取り付けられることで第１フレーム１０との間に袋１００の口部の一辺側１０１を挟持する帯板状の第１挟み板４０と、第２フレーム２０に回動自在に取り付けられることで第２フレーム２０との間に袋１００の口部の他方側１０２を挟持する帯板状の第２挟み板５０と、を備えている。これら第１フレーム１０、第２フレーム２０、第１挟み板４０、第２挟み板５０は、それぞれ樹脂の一体成形品により構成されており、樹脂の弾性を利用して袋ハンガーＭが組み立てられている。
【００１５】
第１フレーム１０は、背面の取付ブラケット６０により被取付部材に固定されるものであり、横桟部１１と、該横桟部１１の両端から下に延びる左右の縦桟部１２とを有した正面視略コ字形をなしている。第１フレーム１０の横桟部１１と左右の縦桟部１２とで囲まれる空間には背面板１８が設けられており、この背面板１８に形成した係合孔１９に自身の係合突起６１を係合させることで、取付ブラケット６０が第１フレーム１０に着脱自在に固定されている。係合孔１９と係合突起６１の組は、上下２段に左右対にして設けられている。そして、取付ブラケット６０の上端に設けたフック６２により、図７、図８のように、収納庫の扉１２０の上端等に袋ハンガーＭを引っ掛けることができるようになっている。
【００１６】
また、第２フレーム２０は、第１フレーム１０と重なる大きさの正面視略コ字形をなしており、横桟部２１と、該横桟部２１の両端から下に延びる左右の縦桟部２２とを有している。そして、自身の縦桟部２２の下端が、第１フレーム１０の縦桟部１２の下端に、枢軸部３０を介して上下方向（図１の矢印Ａ方向）回動自在に連結されている。枢軸部３０は、第１フレーム１０側の要素と第２フレーム２０側の要素を嵌め合わせることで構成されている。
【００１７】
図１〜図６に示すように、第１フレーム１０の横桟部１１の下端縁の近傍には、該横桟部１１の長手方向に沿って複数の横長スリット状の差込孔１３が設けられており、これら各差込孔１３に、自身の下端縁に突設した差込片４３の先端側を挿入して抜け止め係止することにより、第１挟み板４０が、各差込片４３の基部に設けた薄肉屈曲部をヒンジ４２として、第１フレーム１０に上下方向（図１の矢印Ｂ方向）回動自在に連結されている。
【００１８】
第１挟み板４０は、前面板４１と、前面板４１の下端に前記ヒンジ４２となる薄肉変形部を介して後方へ向けて突設された複数の差込片４３と、前面板４１の上端に後方へ折れ曲がるように連設されたＬ字形のフック部４５と、を有している。各差込片４３の先端には、差込孔１３に挿入した状態で抜け止め係止する抜け止め爪４４が設けられ、フック部４５の先端内面には、第１フレーム１０の横桟部１１の上端縁１４に係合する係合突部４６が設けられている。そして、フック部４５を第１フレーム１０の横桟部１１の上端縁１４に係合させることで、第１フレーム１０の横桟部１１との間に、図７に示すように、袋１００の口部の一辺側１０１を挟持できるようになっている。
【００１９】
これらの構成は、第２フレーム２０及び第２挟み板５０についても同様である。即ち、第２フレーム２０の横桟部２１の下端縁の近傍には、該横桟部２１の長手方向に沿って複数の横長スリット状の差込孔２３が設けられており、これら各差込孔２３に、自身の下端縁に突設した差込片５３の先端側を挿入して抜け止め係止することにより、第２挟み板５０が、各差込片５３の基部に設けた薄肉屈曲部をヒンジ５２として、第２フレーム２０に上下方向（図１の矢印Ｃ方向）回動自在に連結されている。
【００２０】
図６に拡大して示すように、第２挟み板５０は、前面板５１と、前面板５１の下端に前記ヒンジ５２となる薄肉変形部を介して後方へ向けて突設された複数の差込片５３と、前面板５１の上端に後方へ折れ曲がるように連設されたＬ字形のフック部５５と、を有している。各差込片５３の先端には、差込孔２３に挿入した状態で抜け止め係止する抜け止め爪５４が設けられ、フック部５５の先端内面には、第２フレーム２０の横桟部２１の上端縁２４に係合する係合突部５６が設けられている。そして、フック部５５を第２フレーム２０の横桟部２１の上端縁２４に係合させることで、第２フレーム２０の横桟部２１との間に、図７に示すように、袋１００の口部の他辺側１０２を挟持できるようになっている。
【００２１】
また、第１フレーム１０の横桟部１１の長手方向中間部の上端には、ロック板７０が設けられている。ロック板７０は、第２フレーム２０の横桟部２１の長手方向中間部の上端に設けられたロック片５７の挿入されるロック孔７２を有しており、ヒンジ７１により第１フレーム１０の横桟部１１に回動自在に取り付けられている。そして、第１フレーム１０と第２フレーム２０を閉じた状態で、ロック板７０を倒すことにより、ロック片５７がロック孔７２に入り込み、ロック片５７の突起５８がロック孔７２に係合するようになっている。この場合、ロック板７０とロック片５７により、第２フレームを上方に回動させて袋１００の口部を閉じたときに、その状態で第１、第２フレーム１０、２０をロックさせるロック機構が構成されている。
【００２２】
なお、符号４９、５９で示すものは、第１、第２挟み板４０、５０を回動させるときに指を掛ける突起である。
【００２３】
次に作用を説明する。
この袋ハンガーＭを使用する場合は、図１に示すように、第１、第２挟み板４０、５０を、それぞれ第１、第２フレーム１０、２０に対し開いた状態にして、第１挟み板４０のフック部４５と第２フレーム２０の横桟部２１に、袋１００の口部の一辺側１０１と他辺側１０２をそれぞれ引っ掛ける。
【００２４】
次いで、その状態で第１、第２挟み板４０、５０を回動させて、それぞれを第１、第２フレーム１０、２０の横桟部１１、２１の上端縁１４、２４に係合させることにより、袋１００の口部の一辺側１０１と他辺側１０２を第１フレーム１０と第１挟み板４０の間および第２フレーム２０と第２挟み板５０の間に挟持する。この状態で、図７に示すように、袋１００を吊り下げ支持することができ、中に物を投入することができる。
【００２５】
また、図８に示すように、第１、第２フレーム１０、２０を閉じて、ロック板７０をロック片５７に係合させることにより、袋１００の口部を閉じることができ、この状態で、袋１００の収容物からの臭いの漏れを防ぐことが可能となる。
【００２６】
この実施形態の袋ハンガーＭは、第１、第２フレーム１０、２０の横桟部１１、２１に形成した複数の差込孔１３、２３に第１、第２挟み板４０、５０に突設した差込片４３、５３をそれぞれ差し込んで係止させることにより、各差込片４３、５３の基部に設けた薄肉屈曲部をヒンジ４２、５２として、第１、第２挟み板４０、５０を第１、第２フレーム１０、２０に上下方向回動自在に連結しているので、第１、第２挟み板４０、５０を長手方向の複数の箇所で第１、第２フレーム１０、２０の横桟部１１、２１により支持することができる。従って、フリーの部分をほとんど無くすことができて、歪みや変形の影響で、袋１００の口部を挟む機能が損なわれるのを防止することができる。
【図面の簡単な説明】
【００２７】
【図１】本発明の実施形態の袋ハンガーを開いた状態にしたときの構成を示す斜視図である。
【図２】同袋ハンガーを閉じた状態にしたときの構成図で、（ａ）は正面斜め下側から見た斜視図、（ｂ）は背面斜め上側から見た斜視図である。
【図３】図２（ａ）のＩＩＩ−ＩＩＩ矢視断面図である。
【図４】図２（ａ）のＩＶ−ＩＶ矢視断面図である。
【図５】図３のＶ部拡大図である。
【図６】図５の第２挟み板５０だけを取り出して示す構成図で、（ａ）は屈曲前の状態、（ｂ）は屈曲後の状態を示す断面図である。
【図７】実施形態の袋ハンガーの使用状態を示す斜視図である。
【図８】同袋ハンガーを閉じたときの状態を示す斜視図である。
【図９】従来の袋ハンガーの構成を示す斜視図である。
【符号の説明】
【００２８】
１０  第１フレーム
１１  横桟部
１２  縦桟部
１３  差込孔
２０  第２フレーム
２１  横桟部
２２  縦桟部
２３  差込孔
３０  枢軸部
４０  第１挟み板
４２  ヒンジ
４３  差込片
５０  第２挟み板
５２  ヒンジ
５３  差込片
５７  ロック片（ロック機構）
７０  ロック板（ロック機構）
１００  袋
１０１  口部の一辺側
１０２  口部の他辺側
【図１】
2008184235.tif 000003
【図２】
2008184235.tif 000004
【図３】
2008184235.tif 000005
【図４】
2008184235.tif 000006
【図５】
2008184235.tif 000007
【図６】
2008184235.tif 000008
【図７】
2008184235.tif 000009
【図８】
2008184235.tif 000010
【図９】
2008184235.tif 000011